(57)【要約】【課題】通常動作に復帰する際のノイズ対策が施された半導体集積回路を得る。【解決手段】半導体集積回路は、基準電圧ＶREFを発生する基準電圧発生回路１と、基準電圧ＶREFを安定化させるためのコンデンサ２と、回路１００を保護するための保護回路３と、充電回路１０及び放電回路１２を制御することによってコンデンサ２の充放電を制御する充放電制御回路４と、電源投入時及び通常動作への復帰時に、コンデンサ２の充電が完了するまで駆動されることにより、回路１００の動作を安定化させる安定化回路５とを備えている。保護回路３による保護状態が解除されると、コンデンサ２が一旦放電され、続いて、安定化回路５が駆動されつつコンデンサ２が充電される。つまり、保護状態が解除されて回路１００の通常動作に復帰する際に、安定化回路５を駆動しながらコンデンサ２を充電するという、電源投入時の駆動シーケンスと同様の動作が実行されている。【選択図】図１
2005217563.tif 000002
【特許請求の範囲】
【請求項１】
所定の回路の動作の基準となる基準電圧を、前記基準電圧を安定化させるためのコンデンサを用いて発生する基準電圧発生回路と、
前記所定の回路を保護する保護回路と、
前記保護回路による保護状態が解除されて前記所定の回路の通常動作に復帰する際、前記コンデンサを一旦放電させた後に充電する、充放電制御回路と、
前記所定の回路の起動時及び前記通常動作への復帰時に前記コンデンサの充電が完了するまで駆動されることにより、前記所定の回路の動作を安定化させる安定化回路と
を備える、半導体集積回路。
【請求項２】
前記コンデンサの充放電の完了を検出して検出結果を前記充放電制御回路に入力する検出回路をさらに備え、
前記検出回路は、前記基準電圧と比較電圧とを比較するコンパレータを有し、
前記比較電圧の値は、前記検出結果に応じて、前記基準電圧に相当する第１の値、及び前記第１の値よりも低い第２の値のいずれかをとる、請求項１に記載の半導体集積回路。
【請求項３】
前記充放電制御回路は、前記保護状態を示す保護信号が入力されている間は、前記コンデンサを繰り返し充放電し、
前記保護状態が解除された後、前記コンデンサの最初の放電が完了するまで前記保護信号を保持する保持回路をさらに備える、請求項１又は２に記載の半導体集積回路。
【発明の詳細な説明】
【技術分野】
【０００１】
本発明は、半導体集積回路に関し、特に、保護回路による保護状態が解除されて回路の通常動作に復帰する際に、回路の動作を安定化させるための技術に関する。
【背景技術】
【０００２】
基準電圧を安定化するためのコンデンサが設けられているパワーアンプでは、電源投入直後にはコンデンサが十分に充電されておらず、内部のバイアス状態が正常でないことに起因して、最終出力にポップノイズが発生する。かかる電源投入時のノイズを低減するために、従来のパワーアンプでは、電源投入後からコンデンサの充電が完了するまでの間駆動されることによって回路の動作を安定化させる、起動時安定化回路（例えばパワーオンリセット回路）が設けられている。
【０００３】
なお、電源投入時のポップノイズを低減する技術は、例えば下記特許文献１，２に開示されている。
【０００４】
【特許文献１】特開２００３−１１０４４１号公報
【特許文献２】特開２００３−１５８４２６号公報
【発明の開示】
【発明が解決しようとする課題】
【０００５】
しかしながら、従来のパワーアンプでは、各種保護回路を備える半導体集積回路において、保護状態が解除されて通常動作に復帰する際のノイズ対策がなされていないという問題があった。
【０００６】
本発明はかかる問題を解決するために成されたものであり、保護状態から通常動作に復帰する際のノイズ対策が施された半導体集積回路を得ることを目的とする。
【課題を解決するための手段】
【０００７】
本発明によれば、半導体集積回路は、所定の回路の動作の基準となる基準電圧を、基準電圧を安定化させるためのコンデンサを用いて発生する基準電圧発生回路と、所定の回路を保護する保護回路と、保護回路による保護状態が解除されて所定の回路の通常動作に復帰する際、コンデンサを一旦放電させた後に充電する、充放電制御回路と、所定の回路の起動時及び通常動作への復帰時にコンデンサの充電が完了するまで駆動されることにより、所定の回路の動作を安定化させる安定化回路とを備える。
【発明の効果】
【０００８】
本発明によれば、保護状態が解除されて通常動作に復帰する際に発生するノイズを、安定化回路によって低減又は回避することができる。
【発明を実施するための最良の形態】
【０００９】
図１は、本発明の実施の形態に係る半導体集積回路の構成を示す回路図である。図１に示すように本実施の形態に係る半導体集積回路は、増幅回路等の後段の回路１００の動作の基準となる基準電圧ＶREFを発生する基準電圧発生回路１と、交流インピーダンスを低減することにより基準電圧ＶREFを安定化させるためのコンデンサ２と、過電流や過熱等の異常状態から回路１００を保護するための、過電流保護回路や過熱保護回路等の各種の保護回路３と、充電回路１０及び放電回路１２を制御することによってコンデンサ２の充放電を制御する充放電制御回路４と、電源投入時（つまり回路１００の起動時）及び通常動作への復帰時に、コンデンサ２の充電が完了するまで駆動されることにより、回路１００の動作を安定化させる安定化回路５とを備えている。後述するように、保護回路３による保護状態が解除されて回路１００の通常動作に復帰する際、充放電制御回路４は、コンデンサ２を一旦放電させた後に充電する。なお、安定化回路５の構成は、従来より用いられている起動時安定化回路の構成と同様である。また、コンデンサ２は、半導体集積回路に外付けされたコンデンサであってもよい。
【００１０】
また、図１に示すように本実施の形態に係る半導体集積回路は、コンデンサ２の充放電の完了を検出して検出結果（信号Ｓ２）を充放電制御回路４に入力する検出回路１４を備えている。検出回路１４は、基準電圧ＶREFと比較電圧とを比較するコンパレータ１５を有している。後述するように比較電圧の値は、検出結果（信号Ｓ２）に応じて、基準電圧ＶREFに相当する第１の値（ＶH）、及び第１の値よりも低い第２の値（ＶL）のいずれかをとる。
【００１１】
基準電圧発生回路１は、電源電位（ＶＣＣ）６に接続された一端を有する抵抗８と、抵抗８の他端に接続された一端及びグランド電位７に接続された他端を有する抵抗９とを備えている。つまり、基準電圧発生回路１は、電源電位６とグランド電位７との間で、抵抗８，９が直列に接続された構成を有している。電源電位６とグランド電位７との間の電圧が抵抗８，９によって分割されることにより、抵抗８，９の直列接続点の電位が基準電圧ＶREFとして得られる。基準電圧ＶREFは、回路１００に供給される。本実施の形態では、抵抗値が互いに等しい抵抗８，９が採用されることにより、基準電圧ＶREFが１／２ＶＣＣに設定されているものとする。
【００１２】
コンデンサ２は、抵抗８，９の直列接続点に接続された一方電極と、グランド電位７に接続された他方電極とを有している。
【００１３】
充電回路１０は、コンデンサ２の充電を補助するためのものであり、図１に示した例ではスイッチ１１によって構成されている。スイッチ１１は、電源電位６に接続された一方端子と、コンデンサ２の一方電極に接続された他方端子とを有している。スイッチ１１がオンされている間は、コンデンサ２の充電が行われる。
【００１４】
放電回路１２は、コンデンサ２（厳密にはコンデンサ２に蓄積された電荷）を放電するためのものであり、図１に示した例ではスイッチ１３によって構成されている。スイッチ１３は、コンデンサ２の一方電極に接続された一方端子と、コンデンサ２の他方電極に接続された他方端子とを有している。スイッチ１３がオンされている間は、コンデンサ２の放電が行われる。
【００１５】
検出回路１４は、抵抗１６，１７と、スイッチ１８と、コンパレータ１５とを備えている。抵抗１６の一端は電源電位６に接続されており、抵抗１６の他端は抵抗１７の一端に接続されており、抵抗１７の他端はグランド電位７に接続されている。つまり、抵抗１６，１７は、電源電位６とグランド電位７との間で直列に接続されている。本実施の形態において、抵抗１６の抵抗値と抵抗１７の抵抗値とは互いに等しい。スイッチ１８は、抵抗１６，１７の直列接続点に接続された一方端子と、グランド電位７に接続された他方端子とを有している。
【００１６】
コンパレータ１５は、抵抗１６，１７の直列接続点に接続された一方入力端子を有している。スイッチ１８がオフされた状態では、基準電圧ＶREFに相当する比較電圧ＶH（１／２ＶＣＣ）が、コンパレータ１５の一方入力端子に入力される。一方、スイッチ１８がオンされた状態では、グランド電位７にほぼ等しい比較電圧ＶLが、コンパレータ１５の一方入力端子に入力される。また、コンパレータ１５は、抵抗８，９の直列接続点に接続された他方入力端子を有している。つまり、コンパレータ１５の他方入力端子には基準電圧ＶREFが入力される。コンパレータ１５は、基準電圧ＶREFと比較電圧ＶH，ＶLとを比較し、その比較の結果を示す信号Ｓ２を出力する。コンパレータ１５の出力端子は、スイッチ１８、安定化回路５、及び充放電制御回路４にそれぞれ接続されている。
【００１７】
回路１００に何らかの異常が発生して保護回路３が動作している間、保護状態であることを示す保護信号Ｓ１が保護回路３から出力される。充放電制御回路４には、コンパレータ１５から信号Ｓ２が入力されるとともに、保護回路３から保護信号Ｓ１が入力される。充放電制御回路４は、信号Ｓ３Cによってスイッチ１１のオン・オフを制御し、信号Ｓ３Dによってスイッチ１３のオン・オフを制御する。
【００１８】
図２は、図１に示した充放電制御回路４の具体的な構成を示す回路図である。図２に示すように充放電制御回路４は、ワンショットパルス生成回路２０と、ラッチ回路２１と、ＯＲ回路２２と、ＡＮＤ回路２３，２４とを備えている。ワンショットパルス生成回路２０は、図１に示したコンパレータ１５から信号Ｓ２を入力し、リセットパルスＲＰを出力する。
【００１９】
ラッチ回路２１は、図１に示した保護回路３から入力された保護信号Ｓ１を保持して出力する。また、ラッチ回路２１にはワンショットパルス生成回路２０からリセットパルスＲＰが入力される。ラッチ回路２１は、リセットパルスＲＰが入力されると、保護信号Ｓ１の保持状態をリセットする。
【００２０】
ＯＲ回路２２の一方入力端子には、ラッチ回路２１から保護信号Ｓ１が入力される。また、ＯＲ回路２２の他方入力端子には、図１に示した保護回路３から保護信号Ｓ１が入力される。ＯＲ回路１１は、信号Ｓ４を出力する。
【００２１】
ＡＮＤ回路２３の一方入力端子には、ＯＲ回路２２から信号Ｓ４が入力される。また、ＡＮＤ回路２３の他方入力端子には、図１に示したコンパレータ１５から信号Ｓ２が入力される。ＡＮＤ回路２３は、信号Ｓ３Dを出力する。
【００２２】
ＡＮＤ回路２４の一方入力端子には、ＯＲ回路２２から信号Ｓ４が入力される。また、ＡＮＤ回路２４の他方入力端子（ローアクティブ）には、図１に示したコンパレータ１５から信号Ｓ２が入力される。ＡＮＤ回路２４は、信号Ｓ３Cを出力する。
【００２３】
図３は、本実施の形態に係る半導体集積回路の動作の流れを示すフローチャートであり、図４は、図１に示したコンデンサ２の充放電状態を示すタイミングチャートである。以下、図１〜４を参照して、本実施の形態に係る半導体集積回路の動作を説明する。
【００２４】
まず、図４に示した時刻ｔ０において、回路全体の電源がオンされる（ステップＳＰ１）。次に、保護状態であるか否かが判定される（ステップＳＰ２）。保護状態であるか否かの判定の結果は、保護回路３から保護信号Ｓ１が出力されている場合は「Ｙｅｓ」となり、出力されていない場合は「Ｎｏ」となる。
【００２５】
保護状態でない場合（つまりステップＳＰ２における判定の結果が「Ｎｏ」である場合）は、コンデンサ２の充電が開始される（ステップＳＰ３）。具体的には、スイッチ１１がオン、スイッチ１３がオフされることによって、コンデンサ２の充電が行われる。
【００２６】
次に、コンデンサ２の充電が完了したか否かの判定が行われる（ステップＳＰ４）。具体的には、電源投入時にはスイッチ１８はオフされており、コンパレータ１５の一方入力端子には比較電圧ＶHが入力されている。つまり、コンパレータ１５は、基準電圧ＶREFと比較電圧ＶHとを比較する。
【００２７】
コンデンサ２の充電が進むにつれて基準電圧ＶREFは徐々に上昇するが、基準電圧ＶREFが比較電圧ＶHよりも低い場合は、コンデンサ２の充電がまだ完了していないと判定されて（ステップＳＰ４における判定の結果は「Ｎｏ」となる）、コンデンサ２の充電が継続される。また、コンパレータ１５は、基準電圧ＶREFが比較電圧ＶHよりも低い場合は、Lowレベルの信号Ｓ２を出力する。信号Ｓ２は安定化回路５に入力され、安定化回路５は、Lowレベルの信号Ｓ２が入力されている間駆動されて、従来の起動時安定化回路と同様にノイズ発生を抑制する動作を実行する。また、信号Ｓ２がLowレベルである場合は、スイッチ１１はオン、スイッチ１３，１８はオフされたままである。
【００２８】
時刻ｔ１において、基準電圧ＶREFが比較電圧ＶH以上になると、コンデンサ２の充電が完了したと判定されて（ステップＳＰ４における判定の結果は「Ｙｅｓ」となる）、コンパレータ１５はHighレベルの信号Ｓ２を出力する。これにより、安定化回路５の駆動が停止され、スイッチ１１はオフされ、スイッチ１８はオンされる。スイッチ１８がオンされたことにより、コンパレータ１５の一方入力端子には比較電圧ＶLが入力される。また、回路１００には、充電完了後のコンデンサ２によって安定化された基準電圧ＶREFが供給される。
【００２９】
コンデンサ２の充電が完了すると、上記と同様に、保護状態であるか否かが判定される（ステップＳＰ５）。保護状態である場合（つまりステップＳＰ５における判定の結果が「Ｙｅｓ」である場合）は、後述するステップＳＰ１０に進む。一方、保護状態でない場合（つまりステップＳＰ５における判定の結果が「Ｎｏ」である場合）、回路１００は、コンデンサ２によって安定化された基準電圧ＶREFに基づいて、通常動作を実行する（ステップＳＰ６）。なお、本明細書において「通常動作」とは、保護回路３によって保護動作が行われていない動作を意味する。回路１００が通常動作を行っている間も、保護状態に移行するか否かの監視は絶えず行われる（ステップＳＰ７）。
【００３０】
時刻ｔ２において、回路１００が通常動作を行っている際に何らかの異常が発生し、保護回路３による保護状態に移行したものとする（ステップＳＰ７おける判定の結果が「Ｙｅｓ」となる）。すると、図２を参照して、保護回路３からＯＲ回路２２の他方入力端子にHighレベルの保護信号Ｓ１が入力され、その結果、ＡＮＤ回路２３，２４の各一方入力端子には、ＯＲ回路２２からHighレベルの信号Ｓ４がそれぞれ入力される。また、保護信号Ｓ１は、保護回路３からラッチ回路２１にも入力され、ラッチ回路２１によって保持された状態で、ラッチ回路２１からＯＲ回路２２の一方入力端子に入力される。
【００３１】
また、上記の通り、この時点ではコンパレータ１５からHighレベルの信号Ｓ２が出力されており、そのHighレベルの信号Ｓ２がＡＮＤ回路２３，２４の各他方入力端子にそれぞれ入力されている。その結果、ＡＮＤ回路２３からはHighレベルの信号Ｓ３Dが出力され、ＡＮＤ回路２４からはLowレベルの信号Ｓ３Cが出力される。従って、Highレベルの信号Ｓ３Dによってスイッチ１３はオンされ、Lowレベルの信号Ｓ３Cによってスイッチ１１はオフされる。これにより、コンデンサ２の放電が開始される（ステップＳＰ１０）。
【００３２】
次に、コンデンサ２の放電が完了したか否かの判定が行われる（ステップＳＰ１１）。上記の通り、この時点ではコンパレータ１５の一方入力端子には比較電圧ＶLが入力されているため、コンパレータ１５は、基準電圧ＶREFと比較電圧ＶLとを比較する。
【００３３】
コンデンサ２の放電が進むにつれて基準電圧ＶREFは急速に下降するが、基準電圧ＶREFが比較電圧ＶLよりも高い場合は、コンデンサ２の放電がまだ完了していないと判定されて（ステップＳＰ１１における判定の結果は「Ｎｏ」となる）、コンデンサ２の放電が継続される。
【００３４】
時刻ｔ３において、基準電圧ＶREFが比較電圧ＶL以下になると、コンデンサ２の放電が完了したと判定されて（ステップＳＰ１１における判定の結果は「Ｙｅｓ」となる）、コンパレータ１５はLowレベルの信号Ｓ２を出力する。これにより、安定化回路５の駆動が開始され、スイッチ１８はオフされる。スイッチ１８がオフされたことにより、コンパレータ１５の一方入力端子には比較電圧ＶHが入力される。
【００３５】
図２を参照して、ワンショットパルス生成回路２０は、信号Ｓ２がHighレベルからLowレベルへ遷移したことを受けて、リセットパルスＲＰを出力する。リセットパルスＲＰはラッチ回路２１に入力される。ラッチ回路２１は、リセットパルスＲＰが入力されたことを受けて、保護信号Ｓ１の保持状態をリセットする（ステップＳＰ１２）。ところが、この時点では保護状態はまだ解除されておらず（ステップＳＰ２における判定の結果が「Ｙｅｓ」となる）、保護回路３からラッチ回路２１に保護信号Ｓ１が入力されたままである。従って、ラッチ回路２１は再び保護信号Ｓ１を保持する。なお、リセットパルスＲＰがラッチ回路２１に入力されている瞬間は、ラッチ回路２１からの保護信号Ｓ１の出力が途絶えるため、リセットパルスＲＰのパルス幅が比較的大きい場合に不都合が生じる可能性がある。しかしながら、本実施の形態においてはＯＲ回路２２が設けられているため、ラッチ回路２１からの保護信号Ｓ１の出力が一時的に途絶えても、保護回路３からＯＲ回路２２の他方入力端子に直接入力される保護信号Ｓ１に基づいて、Highレベルの信号Ｓ４をＡＮＤ回路２３，２４に与え続けることができる。
【００３６】
また、コンパレータ１５から出力されたLowレベルの信号Ｓ２がＡＮＤ回路２３，２４の各他方入力端子にそれぞれ入力されるため、ＡＮＤ回路２３からはLowレベルの信号Ｓ３Dが出力され、ＡＮＤ回路２４からはHighレベルの信号Ｓ３Cが出力される。従って、Lowレベルの信号Ｓ３Dによってスイッチ１３はオフされ、Highレベルの信号Ｓ３Cによってスイッチ１１はオンされる。これにより、コンデンサ２の充電が開始される（ステップＳＰ８）。
【００３７】
コンデンサ２の充電が進むにつれて基準電圧ＶREFは徐々に上昇するが、基準電圧ＶREFが比較電圧ＶHよりも低い場合は、コンデンサ２の充電がまだ完了していないと判定されて（ステップＳＰ９における判定の結果は「Ｎｏ」となる）、コンデンサ２の充電が継続される。
【００３８】
時刻ｔ４において、基準電圧ＶREFが比較電圧ＶH以上になると、コンデンサ２の充電が完了したと判定されて（ステップＳＰ９における判定の結果は「Ｙｅｓ」となる）、コンパレータ１５はHighレベルの信号Ｓ２を出力する。これにより、安定化回路５の駆動が停止され、スイッチ１８はオンされる。スイッチ１８がオンされたことにより、コンパレータ１５の一方入力端子には比較電圧ＶLが入力される。
【００３９】
また、図２を参照して、この時点ではコンパレータ１５からHighレベルの信号Ｓ２が出力されており、そのHighレベルの信号Ｓ２がＡＮＤ回路２３，２４の各他方入力端子にそれぞれ入力される。その結果、ＡＮＤ回路２３からはHighレベルの信号Ｓ３Dが出力され、ＡＮＤ回路２４からはLowレベルの信号Ｓ３Cが出力される。従って、上記と同様に、スイッチ１３はオン、スイッチ１１はオフされて、コンデンサ２の放電が開始される（ステップＳＰ１０）。
【００４０】
次に、コンデンサ２の放電が完了したか否かの判定が行われる（ステップＳＰ１１）。この時点ではコンパレータ１５の一方入力端子には比較電圧ＶLが入力されているため、コンパレータ１５は、基準電圧ＶREFと比較電圧ＶLとを比較する。コンデンサ２の放電が進むにつれて基準電圧ＶREFは急速に下降するが、基準電圧ＶREFが比較電圧ＶLよりも高い場合は、コンデンサ２の放電がまだ完了していないと判定されて（ステップＳＰ１１における判定の結果は「Ｎｏ」となる）、コンデンサ２の放電が継続される。
【００４１】
時刻ｔ５において、基準電圧ＶREFが比較電圧ＶL以下になると、コンデンサ２の放電が完了したと判定されて（ステップＳＰ１１における判定の結果は「Ｙｅｓ」となる）、コンパレータ１５はLowレベルの信号Ｓ２を出力する。これにより、安定化回路５の駆動が開始され、スイッチ１８はオフされる。スイッチ１８がオフされたことにより、コンパレータ１５の一方入力端子には比較電圧ＶHが入力される。
【００４２】
図２を参照して、ワンショットパルス生成回路２０は、信号Ｓ２がHighレベルからLowレベルに遷移したことを受けて、リセットパルスＲＰを出力する。リセットパルスＲＰはラッチ回路２１に入力される。ラッチ回路２１は、リセットパルスＲＰが入力されたことを受けて、保護信号Ｓ１の保持状態をリセットする（ステップＳＰ１２）。ところが、この時点では保護状態はまだ解除されておらず（ステップＳＰ２における判定の結果が「Ｙｅｓ」となる）、保護回路３からラッチ回路２１に保護信号Ｓ１が入力されたままである。従って、ラッチ回路２１は再び保護信号Ｓ１を保持する。
【００４３】
また、コンパレータ１５から出力されたLowレベルの信号Ｓ２がＡＮＤ回路２３，２４の各他方入力端子にそれぞれ入力されるため、ＡＮＤ回路２３からはLowレベルの信号Ｓ３Dが出力され、ＡＮＤ回路２４からはHighレベルの信号Ｓ３Cが出力される。従って、スイッチ１３はオフ、スイッチ１１はオンされて、コンデンサ２の充電が開始される（ステップＳＰ８）。
【００４４】
コンデンサ２の充電が進むにつれて基準電圧ＶREFは徐々に上昇するが、基準電圧ＶREFが比較電圧ＶHよりも低い場合は、コンデンサ２の充電がまだ完了していないと判定されて（ステップＳＰ９における判定の結果は「Ｎｏ」となる）、コンデンサ２の充電が継続される。
【００４５】
時刻ｔ６において、保護状態が解除されたものとする。すると、保護回路３からの保護信号Ｓ１の出力が停止される。つまり、充電制御回路４（詳しくはラッチ回路２１及びＯＲ回路２２の他方入力端子）への保護信号Ｓ１の入力が停止される。しかし、ラッチ回路２１は以前に入力された保護信号Ｓ１を保持しており、ラッチ回路２１からＯＲ回路２２の一方入力端子へ保護信号Ｓ１が入力されている。そのため、ＯＲ回路２２から出力されたHighレベルの信号Ｓ４は、依然としてＡＮＤ回路２３，２４の各一方入力端子にそれぞれ入力されている。また、この時点では、コンパレータ１５から出力されたLowレベルの信号Ｓ２がＡＮＤ回路２３，２４の各他方入力端子にそれぞれ入力されている。従って、ＡＮＤ回路２３からはLowレベルの信号Ｓ３Dが依然として出力され、ＡＮＤ回路２４からはHighレベルの信号Ｓ３Cが依然として出力される。従って、スイッチ１３がオフ、スイッチ１１がオンされた状態は維持されて、コンデンサ２の充電が継続される。
【００４６】
コンデンサ２の充電がさらに進行し、時刻ｔ７において、基準電圧ＶREFが比較電圧ＶH以上になると、コンデンサ２の充電が完了したと判定されて（ステップＳＰ９における判定の結果は「Ｙｅｓ」となる）、コンパレータ１５はHighレベルの信号Ｓ２を出力する。これにより、安定化回路５の駆動が停止され、スイッチ１８はオンされる。スイッチ１８がオンされたことにより、コンパレータ１５の一方入力端子には比較電圧ＶLが入力される。
【００４７】
また、図２を参照して、この時点ではコンパレータ１５からHighレベルの信号Ｓ２が出力されており、そのHighレベルの信号Ｓ２がＡＮＤ回路２３，２４の各他方入力端子にそれぞれ入力される。その結果、ＡＮＤ回路２３からはHighレベルの信号Ｓ３Dが出力され、ＡＮＤ回路２４からはLowレベルの信号Ｓ３Cが出力される。そのため、スイッチ１３はオン、スイッチ１１はオフされて、コンデンサ２の放電が開始される（ステップＳＰ１０）。
【００４８】
次に、コンデンサ２の放電が完了したか否かの判定が行われる（ステップＳＰ１１）。この時点ではコンパレータ１５の一方入力端子には比較電圧ＶLが入力されているため、コンパレータ１５は、基準電圧ＶREFと比較電圧ＶLとを比較する。コンデンサ２の放電が進むにつれて基準電圧ＶREFは急速に下降するが、基準電圧ＶREFが比較電圧ＶLよりも高い場合は、コンデンサ２の放電がまだ完了していないと判定されて（ステップＳＰ１１における判定の結果は「Ｎｏ」となる）、コンデンサ２の放電が継続される。
【００４９】
時刻ｔ８において、基準電圧ＶREFが比較電圧ＶL以下になると、コンデンサ２の放電が完了したと判定されて（ステップＳＰ１１における判定の結果は「Ｙｅｓ」となる）、コンパレータ１５はLowレベルの信号Ｓ２を出力する。これにより、安定化回路５の駆動が開始され、スイッチ１８はオフされる。スイッチ１８がオフされたことにより、コンパレータ１５の一方入力端子には比較電圧ＶHが入力される。
【００５０】
図２を参照して、ワンショットパルス生成回路２０は、信号Ｓ２がHighレベルからLowレベルへ遷移したことを受けて、リセットパルスＲＰを出力する。リセットパルスＲＰはラッチ回路２１に入力される。ラッチ回路２１は、リセットパルスＲＰが入力されたことを受けて、保護信号Ｓ１の保持状態をリセットする（ステップＳＰ１２）。ここで、時刻ｔ８の時点では保護回路３の保護状態はすでに解除されており、保護回路３からラッチ回路２１には保護信号Ｓ１が入力されていない。従って、ラッチ回路２１は保護信号Ｓ１を保持することはなく、時刻ｔ８の時点で、ラッチ回路２１による保護信号Ｓ１の保持が終了する（ステップＳＰ２における判定の結果が「Ｎｏ」となる）。
【００５１】
次に、コンデンサ２の充電が開始される（ステップＳＰ３）。具体的には、スイッチ１１がオン、スイッチ１３がオフされることによって、コンデンサ２の充電が行われる。
【００５２】
次に、コンデンサ２の充電が完了したか否かの判定が行われる（ステップＳＰ４）。具体的には、この時点ではスイッチ１８はオフされているため、コンパレータ１５の一方入力端子には比較電圧ＶHが入力されている。つまり、コンパレータ１５は、基準電圧ＶREFと比較電圧ＶHとを比較する。
【００５３】
コンデンサ２の充電が進むにつれて基準電圧ＶREFは徐々に上昇するが、基準電圧ＶREFが比較電圧ＶHよりも低い場合は、コンデンサ２の充電がまだ完了していないと判定されて（ステップＳＰ４における判定の結果は「Ｎｏ」となる）、コンデンサ２の充電が継続される。信号Ｓ２がLowレベルである場合は、スイッチ１１はオン、スイッチ１３，１８はオフされたままである。
【００５４】
時刻ｔ９において、基準電圧ＶREFが比較電圧ＶH以上になると、コンデンサ２の充電が完了したと判定されて（ステップＳＰ４における判定の結果は「Ｙｅｓ」となる）、コンパレータ１５はHighレベルの信号Ｓ２を出力する。これにより、安定化回路５の駆動が停止され、スイッチ１１はオフされ、スイッチ１８はオンされる。スイッチ１８がオンされたことにより、コンパレータ１５の一方入力端子には比較電圧ＶLが入力される。また、回路１００には、充電完了後のコンデンサ２によって安定化された基準電圧ＶREFが供給される。
【００５５】
図２を参照して、時刻ｔ９においては、Highレベルの信号Ｓ２がＡＮＤ回路２３，２４の各一方入力端子にそれぞれ入力されている。しかし、すでに保護状態が解除されているため、ＡＮＤ回路２３，２４の各一方入力端子には、ＯＲ回路２２からLowレベルの信号Ｓ４がそれぞれ入力される。従って、いずれもLowレベルの信号Ｓ３D，Ｓ３CがＡＮＤ回路２３，２４から出力されるため、スイッチ１１，１３はいずれもオフされたままである。つまり、時刻ｔ９においては、時刻ｔ４，ｔ７のようなコンデンサ２の自動的な放電は行われない。
【００５６】
コンデンサ２の充電が完了すると、上記と同様に、保護状態であるか否かが判定される（ステップＳＰ５）。保護状態でない場合（つまりステップＳＰ５における判定の結果が「Ｎｏ」である場合）、回路１００は、コンデンサ２によって安定化された基準電圧ＶREFに基づいて、通常動作を実行する（ステップＳＰ６）。回路１００が通常動作を行っている間も、保護状態に移行するか否かの監視は絶えず行われる（ステップＳＰ７）。
【００５７】
このように本実施の形態に係る半導体集積回路によると、時刻ｔ６において保護回路３による保護状態が解除されると、時刻ｔ７〜ｔ８においてコンデンサ２が一旦放電され、続く時刻ｔ８〜ｔ９において、安定化回路５が駆動されつつコンデンサ２が充電される。つまり、保護状態が解除されて回路１００の通常動作に復帰する際に、安定化回路５を駆動しながらコンデンサ２を充電するという、電源投入時の駆動シーケンスと同様の動作が実行されている。従って、保護状態が解除されて通常動作に復帰する際に発生するノイズ（パワーアンプの場合はポップ音）を、安定化回路５によって低減又は回避することができる。
【００５８】
しかも、復帰時専用のノイズ低減回路を新たに追加するのではなく、従来から使用されている安定化回路５（起動時安定化回路）を用いて復帰時のノイズ対策を実現できるため、回路規模が増大することもない。
【００５９】
また、信号Ｓ２に基づいてスイッチ１８のオン・オフを切り換えることにより、コンパレータ１５の一方入力端子に、２つの比較電圧ＶH，ＶLが選択的に入力される。従って、充電完了判定の際の基準電圧ＶREFと比較電圧ＶHとの比較、及び、放電完了判定の際の基準電圧ＶREFと比較電圧ＶLとの比較を、１つのコンパレータ１５を用いて実行することができる。その結果、充電判定用のコンパレータと放電判定用のコンパレータとを個別に設ける場合と比較すると、回路規模を縮小することができる。
【００６０】
さらに、時刻ｔ６において保護回路３による保護状態が解除されても、その後にコンデンサ２の最初の放電が完了する時刻ｔ８まで、ラッチ回路２１によって保護信号Ｓ１が保持される。これにより、復帰時のノイズ対策（つまり、安定化回路５を駆動しながらのコンデンサ２の充電動作）を、コンデンサ２の放電が完了した時点（時刻ｔ８）からスタートさせることができる。その結果、復帰時においても電源投入時の駆動シーケンスを忠実に再現できるため、コンデンサ２が完全に放電されていない状態で安定化回路５の駆動が開始された場合にノイズ対策が万全でなくなるという可能性を、予め除去することが可能となる。
【００６１】
図１では、スイッチ１８のオン・オフを切り換えることによって、基準電圧ＶREFと比較電圧ＶHとの比較、及び、基準電圧ＶREFと比較電圧ＶLとの比較を、１つのコンパレータ１５を用いて実行する例を示した。しかしながら、変形例として、基準電圧ＶREFと比較電圧ＶHとの比較、及び、基準電圧ＶREFと比較電圧ＶLとの比較を、それぞれ別のコンパレータによって実行してもよい。
【００６２】
図５は、図１に示した検出回路１４の変形例を示す回路図である。図１に示したスイッチ１８の代わりに、抵抗３０，３１及びコンパレータ３２が設けられている。抵抗３０の一端は電源電位６に接続されており、抵抗３０の他端は抵抗３１の一端に接続されており、抵抗３１の他端はグランド電位７に接続されている。つまり、抵抗３０，３１は、電源電位６とグランド電位７との間で直列に接続されている。比較電圧ＶLをグランド電位７に近付けるために、抵抗３０の抵抗値は、抵抗３１の抵抗値よりも十分に大きく設定されている。
【００６３】
コンパレータ３２は、抵抗８，９の直列接続点に接続された一方入力端子と、抵抗３０，３１の直列接続点に接続された他方入力端子とを有している。コンパレータ３２は、放電完了判定において基準電圧ＶREFと比較電圧ＶLとを比較し、その比較の結果を示す信号Ｓ２Dを出力する。また、コンパレータ１５は、充電完了判定において基準電圧ＶREFと比較電圧ＶHとを比較し、その比較の結果を示す信号Ｓ２Cを出力する。充放電制御回路４は、信号Ｓ２D，Ｓ２Cに基づいて、充放電の完了を判定する。
【００６４】
図５に示した検出回路を備える半導体集積回路であっても、図１に示した半導体集積回路と同様の効果を得ることができる。
【図面の簡単な説明】
【００６５】
【図１】本発明の実施の形態に係る半導体集積回路の構成を示す回路図である。
【図２】図１に示した充放電制御回路の具体的な構成を示す回路図である。
【図３】本発明の実施の形態に係る半導体集積回路の動作の流れを示すフローチャートである。
【図４】図１に示したコンデンサの充放電状態を示すタイミングチャートである。
【図５】図１に示した検出回路の変形例を示す回路図である。
【符号の説明】
【００６６】
１  基準電圧発生回路、２  コンデンサ、３  保護回路、４  充放電制御回路、５  安定化回路、１４  検出回路、１５  コンパレータ、２１  ラッチ回路。
【図１】
2005217563.tif 000003
【図２】
2005217563.tif 000004
【図３】
2005217563.tif 000005
【図４】
2005217563.tif 000006
【図５】
2005217563.tif 000007